(57)【要約】 【課題】  球詰まりをより効果的に解消可能なタンクレールを提供することを目的とする。【解決手段】  上流側の貯留タンク１２に蓄積されたパチンコ球を下流側の賞球制御部１３に対して供給する樋状のタンクレール２０である。  タンクレール２０には、バイブレータ４０が備えられ、このバイブレータ４０からタンクレール２０内部に延びて、バイブレータ４０の振動を伝達する振動伝達部４３が備えられている。振動伝達部４３がタンクレール２０内部まで延びているから、タンクレール２０内部で球詰まりが生じたとしても、パチンコ球に振動伝達部４３が直接触れることが可能となり、球詰まりを効果的に解消することができる。【選択図】  図４
2010036046.tif 000002
【特許請求の範囲】
【請求項１】
上流側の貯留タンクに蓄積されたパチンコ球を下流側の賞球制御部に対して供給するタンクレールであって、
このタンクレールの外面に、前記タンクレールを振動させる振動手段を備えたものにおいて、
前記振動手段には、この振動手段から前記タンクレールのパチンコ球通過領域に延びて、前記振動手段の振動を伝達する振動伝達部が備えられていることを特徴とするタンクレール。
【発明の詳細な説明】
【技術分野】
【０００１】
本発明は、パチンコ球を貯留タンクから賞球制御部へ供給するタンクレールに関する。
【背景技術】
【０００２】
パチンコ機において賞球の払い出し個数を制御する賞球制御部へのパチンコ球の供給が停止してしまうと、賞球が十分に放出されなくなり、遊技者は極めて不快な思いをする。また、このような場合には、その都度店員がパチンコ機の前面枠を開いて球詰まりの状態を直さなければならず、非常に面倒であった。
パチンコ球の供給が停止してしまう原因の一つとして、貯留タンクから賞球制御部へパチンコ球を供給するタンクレールにおける球詰まりがあった。そして、この球詰まりはいくつかのパチンコ球が上下に積み重なって団塊化しタンクレール内に噛み込むことによって生ずることが知られている。
【０００３】
そこで、この球詰まりを解消するため、パチンコ球の団塊をモータにより回転する回転軸によって崩すものが提案されている（例えば、特許文献１参照）。
これは、タンクレール通路内に臨ませた回転軸を、モータにより所定の一方向に回転させたうえで、団塊化したパチンコ球に直接接触させて団塊を崩すというものである。
ところが、このものでは、回転軸と直接接触するパチンコ球にしか、すなわち比較的狭い範囲でしか、回転軸による衝撃が与えられないため、比較的広範な範囲で生ずる球詰まりを完全に解消することは困難であった。
そこで、より広範な範囲において球詰まりを解消するため、球詰まりが発生し易い場所には、タンクレールの側壁に外側から振動モータを取り付けることが提案されている（例えば、特許文献２参照）。
これによれば、タンクレール内部で球詰まりが発生したとしても、振動モータが比較的広範な範囲の側壁を振動し、この側壁の振動がタンクレール内部のパチンコ球の団塊に伝わって団塊が崩され、球詰まり状態が解消される。
【先行技術文献】
【特許文献】
【０００４】
【特許文献１】実開平３−３３８０号公報（第２図）
【特許文献２】特開平１１−２２６２１３号公報（第１図）
【発明の概要】
【発明が解決しようとする課題】
【０００５】
しかしながら、このような振動モータ付きのタンクレールを用いても、球詰まりを完全には解消することはできず、更なる改善が望まれていた。
本発明は上記のような事情に基づいて完成されたものであって、球詰まりをより効果的に解消可能なタンクレールを提供することを目的とする。
【課題を解決するための手段】
【０００６】
上記課題を解決するための有効な手段とその作用・効果を以下に示す。
＜手段１＞
本手段は、上流側の貯留タンクに蓄積されたパチンコ球を下流側の賞球制御部に対して供給するタンクレールであって、このタンクレールの外面に、前記タンクレールを振動させる振動手段を備えたものにおいて、前記振動手段には、この振動手段から前記タンクレールのパチンコ球の通過領域に延びて、前記振動手段の振動を伝達する振動伝達部が備えられていることを特徴とするタンクレールである。
【０００７】
本手段の構成によれば、振動手段によってタンクレールが振動されるから、比較的広範な範囲における球詰まりを解消できる。
さらに、振動伝達部がタンクレールのパチンコ球の通過領域まで延びているから、タンクレール内部で球詰まりが生じたとしても、パチンコ球に振動伝達部が直接触れることも可能となり、球詰まりを効果的に解消することができる。
【０００８】
＜手段２＞
本手段は、手段１に記載のものにおいて、前記振動手段は、前記タンクレールの一側壁の外面に備えられ、前記振動伝達部は、前記一側壁側から、他の側壁側に向かって延びていることを特徴とするタンクレールである。
【０００９】
本手段の構成によれば、振動伝達部はタンクレールの一側面から他側面に向かって延びているから、タンクレールの幅方向にわたる広い範囲で、球詰まりを解消することができる。
【００１０】
＜手段３＞
本手段は、手段２に記載のものにおいて、前記振動伝達部は、前記他側壁に到達せずに、前記他側壁との間に隙間を開けるようにして設けられていることを特徴とするタンクレールである。
【００１１】
本手段の構成によれば、振動伝達部は、タンクレールの他側壁には到達していない。従って、振動手段の振動が他側壁に伝わることはなく、球詰まりを起こしたパチンコ球に効率よく振動を伝達可能となり、効果的に球詰まりが解消される。
【００１２】
＜手段４＞
本手段は、手段３に記載のものにおいて、前記隙間は、パチンコ球の直径よりも小さいことを特徴とするタンクレールである。
【００１３】
本手段の構成によれば、振動伝達部と他側壁との間にパチンコ球が入り込まないから、振動伝達部と他側壁との間において球詰まりが発生するおそれがなくなる。
【００１４】
＜手段５＞
本手段は、手段１ないし手段４のいずれかに記載のものにおいて、前記タンクレールのうち前記振動手段が取り付けられている側壁には、孔部が設けられ、前記振動伝達部は、前記孔部から前記側壁を貫通して、前記タンクレール内部に進入しているとともに、
前記振動伝達部と前記孔部との間には隙間が空いていることを特徴とするタンクレールである。
【００１５】
本手段の構成によれば、振動伝達部と孔部との間には隙間が空いているから、振動伝達部の振動が側壁に伝わって振動伝達部の振動が減衰しにくくなる。よって、球詰まりを起こしたパチンコ球に効率よく振動を伝達可能となり、効果的に球詰まりが解消される。
【００１６】
＜手段６＞
本手段は、手段１ないし手段５のいずれかに記載のものにおいて、前記振動伝達部は、断面の一部が丸みを帯びた形状の棒状部材であることを特徴とする。
【００１７】
本手段の構成によれば、振動伝達部の断面が丸みを帯びているから、振動伝達部にパチンコ球が引っかかりにくくなり、普段のパチンコ球の流れの妨げとならない。
【００１８】
＜手段７＞
本手段は、手段１ないし手段６のいずれかに記載のものにおいて、前記振動伝達部は、前記タンクレールの底壁に段差が設けられている部分付近の側壁から、タンクレール内部に突出していることを特徴とする。
【００１９】
従来、タンクレールの底壁には、球詰まりし易い場所に、段差を設ける場合があった。
ところが、段差のみでは、球詰まりを解消できない場合があった。本手段の構成によれば、この段差が設けられている部分付近の側壁から、振動伝達部がタンクレール内部に突出していることとしたから、タンクレールの底壁の段差によって、球詰まりが解消されないとしても、振動手段によって効果的に球詰まりを解消することができる。
【００２０】
＜手段８＞
本手段は、手段１ないし手段７のいずれかに記載のものにおいて、前記タンクレールの出口付近には、パチンコ球を流す流路が、高さ方向に絞られていくように天井板が設けられ、
前記振動伝達部は、前記天井板による前記流路の絞り始め部分寄りの位置の前記タンクレールの側壁から前記タンクレール内部に突出していることを特徴とする。
【００２１】
一般的に、パチンコ球の流れる流路が、高さ方向に絞られていくように天井板が設けられている場所においては、流路が流れに方向に対して狭まっていくため、球詰まりを起こしやすい。本手段の構成によれば、球詰まりが一般的におきやすい場所の側壁から振動伝達部がタンクレール内部に突出していることとしたから、球詰まりを効果的に解消することができる。
【００２２】
＜手段９＞
本手段は、手段１ないし手段８のいずれかに記載のものにおいて、前記振動伝達部は、複数設けられていることを特徴とするタンクレールである。
【００２３】
本手段の構成によれば、複数の振動伝達部が設けられているから、効果的に球詰まりを解消することができる。
【００２４】
＜手段１０＞
本手段は、手段１ないし手段９のいずれかに記載のものにおいて、前記振動伝達部は、前記振動手段とは別体に、かつ着脱可能に設けられていることを特徴とするタンクレールである。
【００２５】
本手段の構成によれば、振動伝達部のメンテナンスが容易となる。
【００２６】
＜手段１１＞
本手段は、手段１ないし手段１０のいずれかに記載のものにおいて、前記振動伝達部は、前記タンクレールの底壁に対して、少なくともパチンコ球１つの直径よりも高い位置に配置されていることを特徴とするタンクレールである。
【００２７】
パチンコ球の球詰まりは、パチンコ球の上にパチンコ球が乗り上げて起きるため、あまり底壁に近い位置では起きない。本手段の構成によれば、球詰まりが起こりやすい、底壁から少なくともパチンコ球１つの直径よりも高い位置に振動伝達部を配置することとしたから、効果的に球詰まりを解消することができる。
【００２８】
＜手段１２＞
本手段は、手段１ないし手段１１のいずれかに記載のものにおいて、前記振動伝達部は、前記振動手段の振動を伝達する支持軸と、この支持軸に嵌め込まれてこの支持軸周りに回動可能に取り付けられた回動部材とを備えることを特徴とするタンクレールである。
【００２９】
本手段の構成によれば、振動伝達部とパチンコ球との摩擦抵抗は減少するから、振動伝達部が普段のパチンコ球の流れの妨げとならない。
【００３０】
＜手段１３＞
本手段は、手段１２に記載のものにおいて、前記支持軸と前記回動部材との間には、遊びが設けられていることを特徴とするタンクレールである。
【００３１】
本手段の構成によれば、支持軸と回動部材との間には遊びがあるから、振動伝達部が振動した際に、回動部材において支持軸の揺れ幅を増幅させることができる。従って、団塊状のパチンコ球により大きな振動を与えやすく、球詰まりを効果的に解消することができる。
【００３２】
＜手段１４＞
本手段は、手段１２又は手段１３に記載のものにおいて、前記支持軸周りに回動可能に取り付けられた回動部材は、前記タンクレールの長手方向に沿って複数装着され、前記タンクレールの上流側に位置する回動部材の方が、下流側に位置する回動部材よりも重いことを特徴とする。
【００３３】
本手段の構成によれば、上流側において下流側と比べてより大きい衝撃をパチンコ球の団塊に与えることができ、上流側の比較的大きい団塊を効果的に崩すことができる。
【００３４】
＜手段１５＞
本手段は、手段１２ないし手段１４のいずれかに記載のものにおいて、前記回動部材は、金属製であることを特徴とする。
【００３５】
本手段の構成によれば、回動部材を比重の大きい金属製としたから、団塊状のパチンコ球により大きな振動を与えやすく、球詰まりを効果的に解消することができる。
【００３６】
＜手段１６＞
本手段は、手段１ないし手段１１のいずれかに記載のものにおいて、前記振動伝達部は、前記振動手段の振動を伝達する支持軸と、この支持軸に嵌め込まれてこの支持軸周りに揺動可能に取り付けられ、前記タンクレールを流下するパチンコ球に接触することによりパチンコ球の団塊をならす球ならし部材とを備えることを特徴とするタンクレールである。
【発明の効果】
【００３７】
一般に、球ならし部材は、その揺動動作によって団塊化したパチンコ球の上部をならすようにして平坦化し、パチンコ球があまり積み重ならないようにして団塊化を防ぐためのものである。
ところが、パチンコ球の団塊の崩し易さは、パチンコ球の表面状態、すべり具合等に左右されるため、崩しにくい団塊も存在する。
このような場合には、従来の単に揺動動作によって団塊を崩すものでは十分でない場合があった。
本実施形態の構成によれば、球ならし部材に揺動動作のみならず、振動動作もさせることができるから、より効果的に球ならしをすることができる。
【図面の簡単な説明】
【００３８】
【図１】第１実施形態のパチンコ機の背面図
【図２】バイブレータを取り付けた状態のタンクレールの斜視図
【図３】タンクレールの分解斜視図
【図４】タンクレールの分解斜視図
【図５】タンクレールの右側面図
【図６】図５のＶＩ−ＶＩ断面図
【図７】第２実施形態のタンクレールの分解斜視図
【図８】第３実施形態のタンクレールの斜視図
【図９】同じくタンクレールの分解斜視図
【発明を実施するための形態】
【００３９】
＜第１実施形態＞
以下、本発明の第１実施形態を添付図面を参照しつつ説明する。
表面側に図示しない遊技盤を備えるパチンコ機１０は、図１に示すように背面側に機構板１１を備えると共に機構板１１の上方には貯留タンク１２が配設されている。
貯留タンク１２は、パチンコ球を予め蓄積しておくためのものであり、また、機構板１１には、賞球皿（図示なし）へ所定量の賞球を配給する賞球制御部１３が設けられている。
そして、貯留タンク１２と賞球制御部１３との間にはタンクレール２０が配設されており、貯留タンク１２内のパチンコ球がタンクレール２０を介して賞球制御部１３に供給される構成となっている。また、タンクレール２０は貯留タンク１２側（上流側）から賞球制御部１３側（下流側）へ向けて緩やかな勾配を持つように設けられている。
タンクレール２０は、導電性を有する樹脂製で、図２、図３に示すように底壁２１の両側に垂直に起立する側壁２２を備えた樋状をなしていると共に、片側の側壁２２（手前側）の外面には、後に詳細に説明する、振動伝達部４３を備えた振動手段としてのバイブレータ４０が取りつけられている。
【００４０】
タンクレール２０の上流側（図３の左上方側）端部には底壁２１に急な傾斜を付けた球受部２３が設けられている。球受部２３は貯留タンク１２から落下したパチンコ球を円滑にタンクレール２０内に進入させるようになっている。
また、底壁２１には、タンクレール２０の下流側約１／３において、段差部２１Ａが形成されている。この段差部２１Ａによってパチンコ球の流れを局部的に不安定化させることにより球詰まりを解消可能としている。
また、タンクレール２０の両側壁２２，２２は、それぞれは僅かな相違はあるものの基本的には対称形状をなしている。すなわち、両側壁２２，２２は長手方向のほぼ中央部で高さが高くなっており、そこから段状に下って、平坦部となり、底壁２１の段差部２１Ａ付近から先は緩やかな円弧面をもって徐々に下り勾配をなすように形成されている。
【００４１】
タンクレール２０の底壁２１には、図３に示すように、幅方向の中央部に長手方向に延びる仕切壁２４が底壁２１から垂直に起立して設けられて、仕切壁２４を境に、パチンコ球を二手に分流させるようにしている。ここで、仕切壁２４と左右の両側壁２２，２２との間隔はパチンコ球の直径よりも僅かに幅広に設定され、仕切壁２４と左右の両側壁２２，２２との間でパチンコ球を下流側へ至るに連れて１列に絞り込むための整列路２５が形成されている。
また、仕切壁２４は、上流側の途中を始端として底壁２１の段差部２１Ａよりも少し下流までの範囲が徐々に高さを増すように形成され、これに連続して仕切壁２４は下流に向けて下り勾配となり、その後、整列路２５の終端に至るまでの間は、同一高さとなっている。
また、各整列路２５の底壁２１の両側には、所定間隔毎に長細い開口部２９が設けられており、パチンコ球に付着しているゴミ等を外へ排出可能としている。
【００４２】
さらに、段差部２１Ａよりも下流側の上側開口、言い換えれば、タンクレール２０の出口付近には、パチンコ球を流す整列路（流路）２５が、高さ方向に絞られていくように天井板３０が配設されている。この天井板３０には、側縁の前後両端部の２箇所に係止突部３０Ａが設けられており、この係止突部３０Ａが側壁２２に設けられた係止孔部２２Ａと係合して固定されるようになっている。この天井板３０により、上下に２段以上積み重なったパチンコ球がタンクレール２０の出口において、１段となるようにされている。
【００４３】
また、タンクレール２０の手前側の側壁２２には、底壁２１の段差部２１Ａを挟んで、上流側のものが下流側のものよりも高い位置となるように２つの円柱状の取付突部３５が、側壁２２から外側に向かって垂直に起立して設けられている。この取付突部３５は、バイブレータ４０を取り付けるためのものであり、予め取り付け用の下穴３５Ａが開けられている。なお、取付突部３５の長さは、図５に示されるように、バイブレータ４０がタンクレール２０に固定された状態で、バイブレータ４０の取付板４４が側壁２２と接しないで浮いた状態となるように設定されている。
さらに、側壁２２における、２つの取付突部３５が設けられた位置の間には、バイブレータ４０の振動伝達部４３が挿入される略円形の挿入孔３６が２つ開けられている。これらの挿入孔３６は、底壁２１の段差部２１Ａを挟んで、上流側側のものが下流側のものよりも高い位置となるように開けられている。
【００４４】
また、挿入孔３６は、図６に示すように、これに挿入された振動伝達部４３の下端部が、タンクレール２０の底壁２１に対して、少なくともパチンコ球１つの直径よりも高い位置になるように配置されている。
これにより、図６に概念的に示すように団塊化したパチンコ球群のうち、上方に位置するパチンコ球に直接、振動伝達部４３が接して、球詰まりを解消することができる（なお、図６において、符号Ｐは、パチンコ球を示す）。
また、これらの挿入孔３６の大きさは、振動伝達部４３よりも若干、径が大きくされている。これは、振動伝達部４３の振動が、側壁２２に伝達して、その振動が減衰することを防止するためであり、これにより、振動伝達部４３の振動がパチンコ球に効率よく伝わることとなる。
【００４５】
次に、バイブレータ４０及びその取付構造について図４等を参照しつつ詳細に説明する。
バイブレータ４０は、概ね直方体状をなす収納ケース４０Ｂと、この中に収納された図示しない振動用モータとからなる。振動用モータは、軸に偏心輪が取りつけられており、図示しないセンサによって球詰まり状態が検出されると電源が投入されて振動するようになっている。
また、収納ケース４０Ｂの前後方向の両側壁には、張出部４０Ｃが形成され、張出部４０Ｃには、張出部４０Ｃの下面から所定の高さまで、すなわち、張出部４０Ｃの上面に達しない高さまで係合孔部４０Ｄが開けられている。係合孔部４０Ｄは、タンクレール２０の取付突部３５と嵌合可能となっている。さらに、この張出部４０Ｃには、係合孔部４０Ｄと同心で、係合孔部４０Ｄよりも径が小さい貫通孔４０Ｅが、係合孔部４０Ｄと繋がって、張出部４０Ｃの上下面を貫通するようにして開けられている。バイブレータ４０の係合孔部４０Ｄと、タンクレール２０の取付突部３５とを嵌めた後に、貫通孔４０Ｅからネジ、例えばタッピンネジ４１を取付突部３５の下穴３５Ａに入れて、ねじ込むことによって、バイブレータ４０とタンクレール２０とが固定されるようになっている。
【００４６】
バイブレータ４０には、バイブレータ４０の振動をタンクレール２０内部に伝達する振動伝達部４３が２つ備えられている。この振動伝達部４３は、概ね円柱状をしており、この振動伝達部４３にパチンコ球が引っかかりにくいようにされている。
振動伝達部４３は、収納ケース４０Ｂの底面よりも面積小の概ね矩形平板状の取付板４４に、略垂直方向に突出するように固定されている。
そして、この取付板４４は次のようにしてバイブレータ４０に固定されている。すなわち、収納ケース４０Ｂの幅方向の両側壁には張出部４０Ｆが形成され、この張出部４０Ｆには、取付板４４を固定するための取付孔４０Ｇが設けられている。そして、収納ケース４０Ｂの取付孔４０Ｇと、取付板４４の取付孔４５Ａとを合致させた上で、ネジ４９とナット５０により収納ケース４０Ｂに取付板４４が固定されている。
【００４７】
振動伝達部４３の長さは、図５に示すようにバイブレータ４０がタンクレール２０に取り付けられた状態で、振動伝達部４３の先端と、バイブレータ４０が取り付けられていない側壁２２との間に、所定の隙間が開くような長さとされている。言い換えれば、振動伝達部４３は、奥側の側壁２２には到達せずに、この側壁２２との間に隙間を開けるようにして設けられている。これは、振動伝達部４３の振動が、バイブレータ４０が取り付けられていない側壁２２に伝達して、その振動が減衰することを防止するためであり、これにより、振動伝達部４３の振動がパチンコ球に効率よく伝わることとなる。
なお、振動伝達部４３の先端と側壁２２との隙間が、パチンコ球の直径よりも小さくなるように、振動伝達部４３の長さを調整することが好ましい。振動伝達部４３の先端と側壁２２との隙間にパチンコ球が詰まることを防止するためである。
【００４８】
さて、次に本実施形態の作用効果について説明する。
パチンコ球は貯留タンク１２からタンクレール２０の球受部２３に流し込まれる。そして、パチンコ球は、仕切壁２４によって左右の整列路２５に分岐されて更に下流側へ流下していく。このとき、整列路２５を通過するパチンコ球は、幅方向に一列ずつ並んでいるが、所々でパチンコ球同士が上下に重なり合って団塊化しながら流下していく。団塊化したパチンコ球の一部は、段差部２１Ａを通過することで崩されるものもあるが、団塊化したままで流下していくものもある。
【００４９】
この場合には球詰まりとなるが、センサによって球詰まり状態が検知されると、バイブレータ４０が振動させられる。そして、このバイブレータ４０の振動は、タンクレール２０内部（パチンコ球通過領域）まで延びている振動伝達部４３に伝達され、この振動伝達部４３がタンクレール２０内部の団塊化したパチンコ球に直接触れて、団塊を効果的に崩す。
【００５０】
また、振動伝達部４３は、タンクレール２０の底壁２１に段差部２１Ａが設けられている場所付近の側壁２２から、タンクレール２２内部に突出している。よって、タンクレール２０の底壁２１の段差部２１Ａによって、球詰まりが解消されないとしても、振動伝達部４３がパチンコ球に直接接触して、パチンコ球を振動させることによって効果的に球詰まりを解消することができる。
【００５１】
また、振動伝達部４３は、天井板３０による整流路２５の絞り始め部分寄りの位置のタンクレール２０の側壁２２からタンクレール２０内部に突出している。一般的に、パチンコ球が流れる整流路が、高さ方向に絞られていくように天井板３０が設けられている場所においては、整流路２５が流れに方向に対して狭まっていくため、球詰まりを起こしやすい。本実施形態によれば、球詰まりが一般的におきやすい場所の側壁２２から振動伝達部４３がタンクレール２０内部に突出していることとしたから、球詰まりを効果的に解消することができる。
また、本実施形態においては、振動伝達部４３は、複数設けられているから、効果的に球詰まりを解消することができる。
【００５２】
また、本実施形態によれば、振動伝達部４３は、バイブレータ４０とは別体に、かつ着脱可能に設けられているから、振動伝達部４３のメンテナンスが容易となる。
また、本実施形態によれば、市販のバイブレータ４０に振動伝達部４３を付加するだけで簡単に転用できる。
また、本実施形態によれば、振動伝達部４３は、タンクレール２０の底壁２１に対して、少なくともパチンコ球１つの直径よりも高い位置に配置されている。図６に示すように、パチンコ球の球詰まりは、パチンコ球の上にパチンコ球が乗り上げて起きるため、あまり底壁２１に近い位置では起きない。本実施形態の構成によれば、球詰まりが起こりやすい、底壁２１から少なくともパチンコ球１つの直径よりも高い位置に振動伝達部４３を配置することとしたから、効果的に球詰まりを解消することができる。
【００５３】
また、振動伝達部４３は、バイブレータ４０をタンクレール２０に取り付けた状態で、図５に示すように手前側の側壁２２から奥側の側壁２２に向かって延びている。よって、タンクレール２０の幅方向にわたる広い範囲で、球詰まりを解消することができる。
【００５４】
＜第２実施形態＞
次に、第２実施形態について図７を参照しつつ説明する。第２実施形態では、第１実施形態と異なる構成のみ説明し、第１実施形態と同一の他の構成、作用、効果については省略する。なお、本実施形態においては、振動伝達部４３の構成が第１実施形態と異なる。振動伝達部４３は、取付板４４に略垂直に固定された支持軸４３Ｃと、支持軸４３Ｃに抜け止め状態で遊転可能に嵌着された円筒状の回動部材４３Ｄとからなる。なお、支持軸４３Ｃと回動部材４３Ｄとの間には、遊びを設けてあり、回動部材４３Ｄが多少がたつき可能とされている。また、支持軸４３Ｃの先端部分は、径大のストッパ部とされ、これにより、回動部材４３Ｄが支持軸４３Ｃから抜け落ちることが防止されている。
【００５５】
次に本実施形態特有の効果について説明する。
本実施形態によれば、振動伝達部４３とパチンコ球との摩擦抵抗は減少するから、振動伝達部４３が普段のパチンコ球の流れの妨げとならない。
さらに、本実施形態によれば、支持軸４３Ｃと回動部材４３Ｄとの間には遊びがあるから、振動伝達部４３が振動した際に、回動部材４３Ｄにおいて支持軸４３Ｃの揺れ幅を増幅させることができる。従って、団塊状のパチンコ球により大きな振動を与えやすく、球詰まりを効果的に解消することができる。
なお、回動部材４３Ｄの材質は特に限定されないが、金属製であることが望ましい。回動部材４３Ｄを比重の大きい金属製とすることで、団塊状のパチンコ球により大きな振動を与えやすく、球詰まりを効果的に解消することができるからである。
【００５６】
＜第３実施形態＞
次に、第３実施形態について図８、図９を参照しつつ説明する。第３実施形態では、第２実施形態と異なる構成のみ説明し、第２実施形態と同一の他の構成、作用、効果については省略する。なお、本実施形態においては、振動伝達部４３の構成が第２実施形態と異なる。振動伝達部４３は、取付板４４に略垂直に固定された支持軸４３Ｃと、支持軸４３Ｃに抜け止め状態で揺動可能に嵌着された球ならし部材６０とからなる。球ならし部材６０は、整列路２５を流下するパチンコ球に接触することによりパチンコ球の団塊をならすように構成されている。
【００５７】
球ならし部材６０には錘を挿入するための錘挿入孔６０Ａが形成されており、この錘挿入孔６０Ａに錘を挿入することにより回転状態を調整するようにしている。錘としては例えばパチンコ球を用いることができ、錘挿入孔６０Ａの径はパチンコ球の径と同じかやや小さめの径として構成されている。２つある球ならし部材６０，６０のうちの上流側のものでは錘挿入孔６０Ａが１つ設けられ、下流側のものでは錘挿入孔６０Ａが２つ設けられている。
なお、球ならし部材６０の形状については図に示したものに限定されず、任意形状とすることができる。
【００５８】
次に本実施形態特有の効果について説明する。
一般に、球ならし部材６０は、その揺動動作によって団塊化したパチンコ球の上部をならすようにして平坦化し、パチンコ球があまり積み重ならないようにして団塊化を防ぐためのものである。
ところが、パチンコ球の団塊の崩し易さは、パチンコ球の表面状態、すべり具合等に左右されるため、崩しにくい団塊も存在する。
このような場合には、従来の単に揺動動作によって団塊を崩すものでは十分でない場合があった。
本実施形態の構成によれば、球ならし部材６０を揺動動作のみならず、振動動作もさせることができるから、より効果的に球ならしをすることができる。
【００５９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００６０】
（１）上記実施形態では、振動手段は、振動用モータを備えたバイブレータ４０としたが、電源が投入されると振動するものであれば特に限定されない。
【００６１】
（２）上記実施形態では、振動伝達部４３は、取付板４４を介してバイブレータ４０に固定されることとしたが、振動伝達部４３をバイブレータ４０に直接固定してもよい。また、振動伝達部４３は、バイブレータ４０の収納ケース４０Ｂに一体的に成形してもよい。
【００６２】
（３）上記第１実施形態では、振動伝達部４３は、円柱状としたが、その形状は特に限定されない。
【００６３】
（４）上記実施形態では、振動伝達部４３は、２つとしたが、振動伝達部４３の個数は特に限定されず、１つでも３つ以上であってもよい。
【００６４】
（５）上記第２実施形態では、回動部材４３Ｄは、その外径が長手方向に同一の円筒状のものとしたが、回動部材４３Ｄの形状は特に限定されない。例えば、中腹部を径大にした樽型円筒状のものであってもよい。また、回動部材の周壁に切り欠きを設けて凹凸を施してもよい。
【００６５】
（６）上記第２実施形態では、単一の回動部材４３Ｄが単一の支持軸４３に嵌着されていることとしたが、複数の回動部材を単一の支持軸に嵌着してもよい。そして、この場合には、支持軸に嵌着された状態の複数の回動部材同士の間に遊びを設けることが望ましい。このように遊びを設けることで、振動した際に、複数の回動部材を支持軸に沿った方向にも揺れさせることができる。
従って、団塊状のパチンコ球により大きな振動を与えやすく、球詰まりを効果的に解消することができる。
【００６６】
（７）上記第２実施形態では、同一サイズで同一重量の回動部材４３Ｄがタンクレールの長手方向に沿って複数装着されているものとしたが、異なるサイズ・重量の複数の回動部材４３Ｄをタンクレールの長手方向に沿って装着してもよい。
この場合には、上流側に位置する回動部材４３Ｄの方が、下流側に位置する回動部材よりも重い方が好ましい。上流側では、パチンコ球の団塊のサイズが大きいため大きな衝撃を与えることが必要だからである。
【符号の説明】
【００６７】
１０…パチンコ機
２０…タンクレール
４０…バイブレータ（振動手段）
４３…振動伝達部
【図１】
2010036046.tif 000003
【図２】
2010036046.tif 000004
【図３】
2010036046.tif 000005
【図４】
2010036046.tif 000006
【図５】
2010036046.tif 000007
【図６】
2010036046.tif 000008
【図７】
2010036046.tif 000009
【図８】
2010036046.tif 000010
【図９】
2010036046.tif 000011